【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
繊維性基材を含浸するための液体（メタ）アクリルシロップであって、前記繊維性基材が長繊維からなり、このシロップが：
ａ）（メタ）アクリルポリマー、
ｂ）（メタ）アクリルモノマー、
ｃ）以下から選択される少なくとも１つの難燃性物質：
・リン系添加剤、例えばホスフィネート、ジホスフィネート、ホスホネート、ホスフェート、赤リン、ポリリン酸アンモニウム（少なくとも１０００のユニット数ｎを有する）、
・含水鉱物フィラー、例えば金属水酸化物
を含むことを特徴とし、前記液体（メタ）アクリルシロップ中の難燃性物質の総含有量が５０重量％未満、好ましくは３０重量％未満であり、前記液体（メタ）アクリルシロップが、１０ｍＰａ．ｓ〜１００００ｍＰａ．ｓ、好ましくは５０ｍＰａ．ｓ〜５０００ｍＰａ．ｓ、有利なことには１００ｍＰａ．ｓ〜１０００ｍＰａ．ｓの動的粘度を有する、液体（メタ）アクリルシロップ。
【請求項２】
リン誘導体が、好ましくは式（Ｉ）又は（ＩＩ）のホスフィネート又はジホスフィネートから選択されることを特徴とする、請求項１に記載の液体（メタ）アクリルシロップ：
2016510086.tif 000001
（Ｉ）
2016510086.tif 000002
（ＩＩ）
式中：
Ｒ１及びＲ２は、直鎖又は分岐Ｃ１−Ｃ６アルキル及び／又はアリール基を示し；
Ｒ３は、直鎖又は分岐Ｃ１−Ｃ１０アルキレン、Ｃ６−Ｃ１０アリーレン、アルキルアリーレン又はアリールアルキレン基を示し；
Ｍは、Ｍｇ、Ｃａ、Ａｌ、Ｓｂ、Ｓｎ、Ｇｅ、Ｔｉ、Ｚｎ、Ｆｅ、Ｚｒ、Ｃｅ、Ｂｉ、Ｓｒ、Ｍｎ、Ｌｉ、Ｎａ又はＫを示し；
ｍは１〜４の整数であり；
ｎは、１〜４の整数であり；
ｘは１〜４の整数である。
【請求項３】
Ｒ１及びＲ２がメチル、エチル、ｎ−プロピル、イソプロピル、ｎ−ブチル、ｔｅｒｔ−ブチル、ｎ−ペンチル及び／又はフェニル基であることを特徴とする、請求項２に記載の液体（メタ）アクリルシロップ。
【請求項４】
Ｒ３がメチレン、エチレン、ｎ−プロピレン、イソプロピレン、ｎ−ブチレン、ｔｅｒｔ−ブチレン、ｎ−ペンチレン、ｎ−オクチレン又はｎ−ドデシレン基；又はフェニレン、メチルフェニレン、エチルフェニレン、ｔｅｒｔ−ブチルフェニレン、メチルナフチレン、フェニルメチレン、フェニルエチレン、フェニルプロピレン又はナフタレン基であることを特徴とする、請求項２に記載の液体（メタ）アクリルシロップ。
【請求項５】
難燃性添加剤が、式（Ｉ）を有し、ＭがＡｌを示し、Ｒ１及びＲ２の両方がＣ１−Ｃ６アルキル基を示すことを特徴とする、請求項２に記載の液体（メタ）アクリルシロップ。
【請求項６】
前記難燃性添加剤が式（ＩＩＩ）又は（ＩＶ）を有することを特徴とする、請求項５に記載の液体（メタ）アクリルシロップ：
2016510086.tif 000003
【請求項７】
式（Ｉ）又は（ＩＩ）の前記難燃性添加剤が、（メタ）アクリルシロップの５重量％〜５０重量％、好ましくは１０重量％〜３０重量％。有利なことには１５重量％〜２５重量％であることを特徴とする、請求項２から６の何れか一項に記載の液体（メタ）アクリルシロップ。
【請求項８】
前記含水鉱物フィラーが、アルミニウム三水和物又は水酸化マグネシウムからなることを特徴とする、請求項１に記載の液体（メタ）アクリルシロップ。
【請求項９】
前記含水鉱物フィラーが、アルミニウム三水和物からなることを特徴とする、請求項８に記載の液体（メタ）アクリルシロップ。
【請求項１０】
前記含水鉱物フィラーが、（メタ）アクリルシロップの５重量％〜５０重量％、好ましくは１０重量％〜５０重量％、有利なことには３０重量％〜５０重量％であることを特徴とする、請求項８又は９に記載の液体（メタ）アクリルシロップ。
【請求項１１】
前記難燃性物質が、０．５〜１０μｍ、有利なことには１〜５μｍの平均直径Ｄ５０（Ｍｉｃｒｏｔｒａｃ）を有する粒子の形態であることを特徴とする、請求項１から１０の何れか一項に記載の液体（メタ）アクリルシロップ。
【請求項１２】
前記液体（メタ）アクリルシロップがまた：
ヒュームドシリカ又は粘度／ベントナイトのような添加剤；及び／又は
無機フィラー、例えば炭酸マグネシウム、炭酸カルシウム、酸化マグネシウム、酸化カルシウム、ヒドロタルサイト、ジヒドロタルサイト、水酸化カルシウム、タルク（ケイ酸マグネシウム二水酸化物）、又は金属酸化物、例えば酸化亜鉛、酸化アルミニウム、酸化チタン又は三酸化アンチモン又は酒石酸アンチモン
を含み、これが前記難燃性物質の効力を強化できることを特徴とする、請求項１から１１の何れか一項に記載の液体（メタ）アクリルシロップ。
【請求項１３】
前記（メタ）アクリルポリマーが、メチルメタクリレート（ＭＭＡ）のホモポリマー若しくはコポリマー又はこれらの混合物であることを特徴とする、請求項１に記載の液体（メタ）アクリルシロップ。
【請求項１４】
前記（メタ）アクリルモノマーが、アクリル酸、メタクリル酸、アルキルアクリルモノマー及びアルキルメタクリルモノマー、並びにこれらの混合物から選択され、前記アルキル基が１〜２２個の直鎖、分岐又は環状炭素を含有し；前記アルキル基が、好ましくは１〜１２個の直鎖、分岐又は環状炭素を含有することを特徴とする、請求項１に記載の液体（メタ）アクリルシロップ。
【請求項１５】
前記液体（メタ）アクリルシロップが：
ａ）５重量％〜２０重量％の（メタ）アクリルポリマー、
ｂ）４０重量％〜８０重量％の（メタ）アクリルモノマー、
ｃ）１０重量％〜３０重量％の式（Ｉ）又は（ＩＩ）の難燃剤、及び／又は
ｄ）１５重量％〜５０重量％のアルミニウム三水和物
を含むことを特徴とする、請求項１から１４の何れか一項に記載の液体（メタ）アクリルシロップ。
【請求項１６】
繊維性基材を含浸するための含浸方法であって、前記繊維性基材が長繊維からなり、前記方法が、前記繊維性基材を、請求項１から１５の何れか一項に記載の前記（メタ）アクリルシロップで含浸する工程を含む含浸方法。
【請求項１７】
熱可塑性（メタ）アクリルマトリックス及び強化材として使用される繊維性基材を含むポリマー性複合材料であって、ここで前記繊維性基材は長繊維からなり、前記複合材料は、熱可塑性（メタ）アクリルマトリックスが、請求項１から１５の何れか一項に記載の前記液体（メタ）アクリルシロップでプレ含浸された前記繊維性基材の重合後に得られることを特徴とする、ポリマー性複合材料。
【請求項１８】
以下の工程を含む、複合材料で製造される機械的部品又は構造要素を製造するための方法：
ａ）繊維性基材を請求項１から１５の何れか一項に記載の液体（メタ）アクリルシロップで含浸する工程、
ｂ）前記繊維性基材を含浸した前記液体（メタ）アクリルシロップを重合する工程。
【請求項１９】
前記方法が樹脂トランスファ成形及び注入から選択されることを特徴とする、請求項１８に記載の製造方法。
【請求項２０】
請求項１７に記載の複合材料で製造される、又は請求項１８又は１９に記載の製造方法を介して得られる機械的部品又は構造要素。
【請求項２１】
前記部品が、自動車部品、船部品、列車部品、スポーツ物品、飛行機又はヘリコプター部品、宇宙船又はロケット部品、太陽光発電モジュール部品、風力タービン部品、家具部品、建設又は建築部品、電話又は携帯電話部品、コンピュータ又はテレビ部品、プリンタ又はコピー機部品である、請求項２０に記載の部品。